(57)【要約】【課題】乗員頭部の車室内衝突に対する衝撃をより好適に吸収することのできる車体ルーフ構造を提供する。【解決手段】車体のルーフ部ＲＦを構成する車体ルーフ構造は、ルーフパネル２０に当接した状態で同ルーフパネル２０とルーフライニング２１との間の部分に設置された衝撃吸収部材１０を備える。FMVSS201に規定する車室内衝突試験用のダミーヘッドＤＨにおける額に相当する位置から目に相当する位置までの距離をＬ１とし、同ダミーヘッドＤＨにおける額に相当する位置から鼻先に相当する位置までの距離をＬ２としたとき、ルーフ部ＲＦにおける衝撃吸収部材１０の設置箇所にあって、アッパルーフの外縁ＲＭにあたる部分では、ルーフライニング２１に当接するように衝撃吸収部材１０を設置し、同外縁ＲＭからの距離がＬ１〜Ｌ２の部分には、ルーフライニング２１を当接支持する構造物が存在しない空隙領域２３を設けるようにした。【選択図】図３
2018070067.tif 000002
【特許請求の範囲】
【請求項１】
車体のルーフ部を構成する構造であって、前記ルーフ部の外板材であるルーフパネルと、前記ルーフ部の内装材であるルーフライニングと、前記ルーフパネルに当接した状態で同ルーフパネルと前記ルーフライニングとの間の部分に設置された衝撃吸収部材と、を備える車体ルーフ構造において、
米国自動車安全基準第２０１号に規定する車室内衝突試験用のダミーヘッドにおける額に相当する位置から目に相当する位置までの距離をＬ１とし、同ダミーヘッドの額に相当する位置から鼻先に相当する位置までの距離をＬ２としたとき、
前記ルーフ部における前記衝撃吸収部材の設置箇所にあって、前記米国自動車安全基準第２０１号に規定するアッパルーフの外縁にあたる部分には、前記ルーフライニングに当接した状態で前記衝撃吸収部材が設置されており、
且つ前記設置箇所にあって、前記アッパルーフの外縁にあたる位置からの前記ルーフ部の外縁側への距離がＬ１となる位置から同距離がＬ２となる位置までの部分には、前記ルーフライニングを当接支持している構造物が存在しない空隙領域が設けられている
ことを特徴とする車体ルーフ構造。
【発明の詳細な説明】
【技術分野】
【０００１】
本発明は、車体のルーフ部を構成する車体ルーフ構造に関する。
【背景技術】
【０００２】
自動車の車体におけるルーフ（屋根）部を構成する車体ルーフ構造として、特許文献１に記載のものが知られている。図７に示すように、同文献の車体ルーフ構造は、ルーフ部の外板材であるルーフパネル５０と、同ルーフ部の内装材であるルーフライニング５１とを備え、また、ルーフ側部におけるルーフパネル５０とルーフライニング５１との間の部分に、カーテンエアバッグ５２が設置されたものとなっている。さらに、同車体ルーフ構造には、ルーフパネル５０とルーフライニング５１との間の部分におけるカーテンエアバッグ５２よりも車幅方向内側の部分、及び車幅方向外側の部分にそれぞれ、発泡樹脂の成型品からなる衝撃吸収部材５３、５４が設置されている。なお、こうした衝撃吸収部材５３、５４は、車両衝突時に想定される強い衝撃を吸収できるように、ある程度よりも大きい衝撃荷重が加わった際に衝撃吸収効果を発揮するように構成されている。
【先行技術文献】
【特許文献】
【０００３】
【特許文献１】特開２００２−２２５６５８号公報
【発明の概要】
【発明が解決しようとする課題】
【０００４】
しかしながら、こうした従来の車体ルーフ構造では、下記のように、乗員頭部の衝突時の衝撃の吸収性に関して改善の余地がある。
上記従来の車体ルーフ構造において、衝撃吸収部材５３の設置箇所には、衝突により車体が横転した場合などに、座席から投げ出された乗員の頭部が、顔を車幅方向外側に向けて衝突することがある。一方、人体の頚椎の椎間関節は、顔を縦に振る方向への可動性が高い構造となっている。そのため、同図に示すように、車幅方向外側に顔を向けた状態で、乗員の頭部５５が、衝撃吸収部材５３の設置箇所に衝突（一次衝突）した場合には、下記のようになる。すなわち、こうした場合の頭部５５は、一次衝突後に、同図に二点鎖線で示すように、額の部分を中心として顎が前方に突き出す方向に回転し、その鼻の周辺部にて、車幅方向外側に位置する、もう一つの衝撃吸収部材５４の設置箇所に再び衝突（二次衝突）するようになる。こうした場合において、一次衝突による衝撃を衝撃吸収部材５３が吸収するよりも早く、もう一つの衝撃吸収部材５４の設置箇所への二次衝突が発生すると、両衝撃吸収部材５３、５４に衝撃荷重が分散して、衝撃吸収部材５３の変形が抑えられてしまう。そのため、一次衝突のみが発生した場合と、一次衝突に続き二次衝突が発生した場合とでは、衝撃吸収部材５３が発揮する衝撃吸収効果に違いが生じてしまう。
【０００５】
本発明は、こうした実情に鑑みてなされたものであり、その解決しようとする課題は、車室内衝突時の乗員頭部の衝撃をより好適に吸収することのできる車体ルーフ構造を提供することにある。
【課題を解決するための手段】
【０００６】
上記課題を解決する車体ルーフ構造は、車体のルーフ（屋根）部を構成する構造であり、ルーフ部の外板材であるルーフパネルと、ルーフ部の内装材であるルーフライニングと、ルーフパネルに当接した状態で同ルーフパネルとルーフライニングとの間の部分に設置された衝撃吸収部材と、を備えている。
【０００７】
ここで、米国自動車安全基準第２０１号に規定する車室内衝突試験用のダミーヘッドにおける額に相当する位置から目に相当する位置までの距離をＬ１とし、同ダミーヘッドの額に相当する位置から鼻先に相当する位置までの距離をＬ２とする。このとき、上記車体ルーフ構造のルーフ部における衝撃吸収部材の設置箇所にあって、上記米国自動車安全基準第２０１号に規定するアッパルーフの外縁にあたる部分には、ルーフライニングに当接して衝撃吸収部材が設置されており、且つ上記設置箇所にあってアッパルーフの外縁にあたる位置からのルーフ部の外縁側への距離がＬ１となる位置から同距離がＬ２となる位置までの部分には、ルーフライニングを当接支持する構造物が存在しない空隙領域が設けられている。
【０００８】
ルーフ部の衝撃吸収部材の設置箇所におけるアッパルーフの外縁にあたる位置の近傍に乗員の頭部が衝突した場合、その衝突のしかたによっては、ルーフライニングへの最初の衝突（一次衝突）後に頭部が回転して再度の衝突（二次衝突）が発生することがある。このとき、上記車体ルーフ構造では、二次衝突の発生位置にあたる部分に、ルーフライニングを当接支持している構造物が存在しない空隙領域が設けられている。そのため、二次衝突が発生したときの衝撃吸収部材に加わる衝撃荷重の分散が生じにくくなる。よって、上記車体ルーフ構造では、二次衝突が発生する場合にも、一次衝突のみが発生する場合と同様に衝撃吸収効果を発揮できる。したがって、上記車体ルーフ構造によれば、車室内衝突時の乗員頭部の衝撃をより好適に吸収することができる。
【図面の簡単な説明】
【０００９】
【図１】第１実施形態の車体ルーフ構造が適用された車体の平面図。
【図２】同車体ルーフ構造におけるルーフ部の骨格構造を示す平面図。
【図３】図１の３−３線に沿った上記車体ルーフ構造の断面図。
【図４】同車体ルーフ構造の構成部品である衝撃吸収部材の斜視図。
【図５】同車体ルーフ構造の乗員頭部の車室内衝突時の状態を示す断面図。
【図６】第２実施形態の車体ルーフ構造の断面図。
【図７】従来の車体ルーフ構造の断面図。
【発明を実施するための形態】
【００１０】
（第１実施形態）
以下、車体ルーフ構造の第１実施形態を、図１〜図５を参照して詳細に説明する。なお、以下の説明において参照する各図では、車体前方を矢印ＦＲで、車体後方を矢印ＲＲで、車体上方を矢印ＵＰで、車体下方を矢印ＤＷで、車体の車幅方向内側となる方向を矢印ＩＮで、車体の車幅方向外側となる方向を矢印ＯＵＴで、それぞれ示している。
【００１１】
図１に、本実施形態の車体ルーフ構造が適用される自動車における車体Ｂの平面構造を示す。本実施形態の車体ルーフ構造は、こうした車体Ｂのルーフ（屋根）部ＲＦを構成する構造であり、ルーフ部ＲＦの車体前方の部分における車幅方向両側に、衝撃吸収部材１０が設置されたものとなっている。ルーフ部ＲＦにおける衝撃吸収部材１０の設置箇所の車室側の部分は、車体Ｂの前座席に座った乗員の頭部から見て、車体前方、且つ車幅方向外側に位置する箇所であり、車体Ｂの横転等により、前座席から投げ出された乗員の頭部の衝突が想定される箇所となっている。
【００１２】
図２に、ルーフ部ＲＦを支える骨格材の構成を示す。ルーフ部ＲＦの左右両側には、車体前後方向に延びるルーフサイドレール１１がそれぞれ設置されている。ルーフ部ＲＦの車体前方の端部、及び車体後方の端部には、車幅方向に延びるフロントヘッダ１２及びリアヘッダ１３が骨格材として設置されている。さらに、ルーフ部ＲＦにおけるフロントヘッダ１２及びリアヘッダ１３の間の部分には、左右のルーフサイドレール１１に架け渡された、車幅方向に延びる複数（同図では３つ）のリーンフォースメント１４が間隔を置いて設置されている。
【００１３】
ところで、米国連邦自動車安全基準（Federal Motor Vehicle Safety Standards）第２０１号（以下、FMVSS201と記載する）には、車室内衝撃に対する乗員保護に関する基準が規定されている。そして、FMVSS201には、そうした乗員保護に関する基準として、車体Ｂのルーフ部ＲＦの外縁部を除いた部分であるアッパルーフ（upper roof）の内装に対しての乗員の頭部衝突に関する保護基準も規定されている。
【００１４】
アッパルーフＵＲは、ルーフ部ＲＦの車室側における下記の範囲の部分と規定されている。すなわち、アッパルーフＵＲは、ルーフ部ＲＦの車室側にあって、同ルーフ部ＲＦの前端から「０．１５×Ｄ１」の距離の位置よりも車体後側、ルーフ部ＲＦの後端から「０．１５×Ｄ１」の距離の位置よりも車体前側、且つルーフ部ＲＦの両側から「０．１５×Ｄ２」の距離の位置よりも車幅方向内側の部分である。なお、「Ｄ１」、「Ｄ２」は、ルーフ部ＲＦの車体前後方向の長さ、車幅方向の長車幅さをそれぞれ表している。
【００１５】
図１では、二点鎖線で囲まれた部分がアッパルーフＵＲの範囲を示しており、また同二点鎖線は、アッパルーフＵＲの外縁を示している。なお、同図に示すように、上記２つの衝撃吸収部材１０は、こうしたアッパルーフＵＲの車体前方側の左右の隅部をそれぞれ含む部分に設置されている。
【００１６】
ちなみに、FMVSS201には、上記車室内衝撃に対する乗員頭部の保護性能の評価値となる頭部傷害値（HIC）の測定方法として、乗員の頭部を模したダミーヘッドを用いた車室内衝突試験による測定方法が規定されている。この車室内衝突試験は、FMVSS201に規定の車室内の各衝撃ポイントに対してダミーヘッドを衝突させることで行われる。FMVSS201には、この車室内衝突試験用のダミーヘッドの重量や寸法、形状が規定されている。
【００１７】
図３に、図１の３−３線に沿った車体ルーフ構造の断面構造を示す。なお、同図に示す断面は、車体右側の衝撃吸収部材１０の設置箇所を含む断面となっている。
同図に示すように、本実施形態の車体ルーフ構造は、ルーフ部ＲＦの外板材であるルーフパネル２０と、ルーフ部ＲＦの内装材であるルーフライニング２１と、を備えている。ルーフパネル２０は、上記ルーフ部ＲＦの各骨格材（１１〜１４）の車体外側に接合されており、同図に示される部分では、車幅方向外側の端部においてルーフサイドレール１１に接合されている。一方、ルーフライニング２１は、上記ルーフ部ＲＦの各骨格材（１１〜１４）の車室側に張り渡された状態で、ルーフパネル２０から間隔を置いて設置されている。なお、本実施形態では、ルーフライニング２１として不織布の成型品が採用されている。
【００１８】
上記衝撃吸収部材１０は、これらルーフパネル２０とルーフライニング２１との間の部分に設置されている。ルーフ部ＲＦの衝撃吸収部材１０の設置箇所における同衝撃吸収部材１０よりも車幅方向外側の部分には、車室側部への衝突に際して乗員を保護するためのカーテンエアバッグ２２が、ルーフサイドレール１１に固定され、且つ車室下側をルーフライニング２１で覆われた状態で設置されている。
【００１９】
図４に、衝撃吸収部材１０の斜視構造を示している。同図に示される各矢印は、車体に組み付けられた状態の衝撃吸収部材１０において、車体の各方向に対応する方向を示している。なお、以下では、衝撃吸収部材１０において、車体組付時に車体前方、車体後方、車体上方、車体下方となる側をそれぞれ、同衝撃吸収部材１０の前側、後側、上側、下側と記載する。
【００２０】
衝撃吸収部材１０は、樹脂製の板材からなり、平面状の受圧面部３０を有している。また、衝撃吸収部材１０における受圧面部３０よりも同衝撃吸収部材１０の前側の部分には、同衝撃吸収部材１０の上側に向けて傾斜した傾斜面部３１が設けられている。そして、その傾斜面部３１よりも同衝撃吸収部材１０の前側の部分には、受圧面部３０と略平行な面である支持面部３２が設けられている。
【００２１】
さらに、衝撃吸収部材１０には、同衝撃吸収部材１０の上側に向かって突出した円錐台形状の脚部３３、３４が４つ設けられている。これら４つ脚部３３、３４における衝撃吸収部材１０の上側の端面（以下、上端面と記載する）は、支持面部３２が位置する平面と同じ平面上に位置している。こうした脚部のうちの２つ（脚部３４）は、全体が受圧面部３０の部分に設けられている。これに対して残りの２つの脚部３３は、受圧面部３０と傾斜面部３１とを跨ぐように設けられており、円錐台の側周面における傾斜面部３１と交差する部分が欠損した形状となっている。
【００２２】
先の図３に示すように、衝撃吸収部材１０は、受圧面部３０がルーフライニング２１に当接し、支持面部３２及び各脚部３３、３４の上端面がルーフパネル２０に当接した状態で設置されている。また、支持面部３２は、ルーフサイドレール１１との接合部分の近傍にて、ルーフパネル２０に当接している。
【００２３】
なお、同図に示されるルーフライニング２１上の点「ＲＭ」は、ルーフ部ＲＦの側部外縁からの距離が「０．１５×Ｄ２」となる位置、すなわち、同図に示される断面におけるアッパルーフＵＲの外縁にあたる位置を示している。また、同図には、一点鎖線により、上記車室内衝突試験用のダミーヘッドＤＨが、同図に示す断面におけるアッパルーフＵＲの外縁ＲＭにあたる位置に同ダミーヘッドＤＨの額に相当する部分が接触した状態で示されている。なお、同図におけるＬ１は、ダミーヘッドＤＨにおける額に相当する位置から目に相当する位置までの距離を、Ｌ２は、同ダミーヘッドＤＨにおける額に相当する位置から鼻先に相当する位置までの距離を、それぞれ示している。
【００２４】
本実施形態の車体ルーフ構造では、ルーフ部ＲＦにおける衝撃吸収部材１０の設置箇所にあって、アッパルーフＵＲの外縁ＲＭにあたる部分には、受圧面部３０においてルーフライニング２１に当接した状態で衝撃吸収部材１０が設置されている。一方、ルーフ部ＲＦにおいて、衝撃吸収部材１０における受圧面部３０の車幅方向外側の端からカーテンエアバッグ２２までの部分は、ルーフライニング２１を当接支持している構造物が存在しない領域（以下、空隙領域２３と記載する）となっている。ここで、アッパルーフＵＲの外縁ＲＭから受圧面部３０の車幅方向外側の端までの距離は、ダミーヘッドＤＨにおける額に相当する位置から目に相当する位置までの距離Ｌ１よりも短くなっている。また、アッパルーフＵＲの外縁ＲＭからカーテンエアバッグ２２までの距離は、ダミーヘッドＤＨにおける額に相当する位置から鼻先に相当する位置までの距離Ｌ２よりも長くなっている。よって、本実施形態の車体ルーフ構造では、アッパルーフＵＲの外縁からのルーフ部ＲＦの外縁側に向かっての距離がＬ１となる位置から同距離がＬ２となる位置までの部分には、ルーフライニング２１を当接支持している構造物が存在しない領域である空隙領域２３が設けられている。
【００２５】
ちなみに、同図に示す空隙領域２３内の領域Ｃは、ケーブルやワイヤハーネスの配線スペースとなっている。なお、ケーブルやワイヤハーネスは、あまり高い張力を持って配線されていないため、ルーフライニング２１に触れていたとしても、ルーフライニング２１を当接支持している構造物には該当しない。
【００２６】
（第１実施形態の作用効果）
続いて、以上のように構成された本実施形態の車体ルーフ構造の作用効果を説明する。
ルーフ部ＲＦにおける衝撃吸収部材１０の設置箇所の車室側の部分には、車体Ｂが横転したとき等に、前座席から投げ出された乗員の頭部が衝突する可能性がある。このとき、本実施形態の車体ルーフ構造では、ルーフライニング２１に当接して設置された衝撃吸収部材１０の受圧面部３０が衝撃荷重を受けることになる。衝撃荷重は、衝撃吸収部材１０の脚部３３、３４を介してルーフパネル２０に伝わり、これにより、ルーフパネル２０が車体上方に弾性変形する。
【００２７】
ルーフパネル２０における衝撃吸収部材１０の脚部３３、３４との当接部分は、骨格材であるルーフサイドレール１１との接合箇所に近い、剛性が高い部分となっている。そのため、このときのルーフパネル２０の弾性変形は限られたものとなり、ルーフライニング２１とルーフパネル２０との間で、衝撃吸収部材１０の脚部３３、３４や傾斜面部３１等が圧縮される。そしてその圧縮により、脚部３３、３４や傾斜面部３１等が変形して、衝撃荷重を吸収するようになる。このように、衝撃吸収部材１０は、ルーフサイドレール１１に近く、ルーフパネル２０の剛性が高い部位への乗員頭部の車室内衝突に対して、衝撃吸収効果を発揮する。
【００２８】
なお、衝撃吸収部材１０は、各脚部３３、３４の上端面に加え、支持面部３２においてもルーフパネル２０に当接した状態で設置されている。ルーフパネル２０における支持面部３２との当接部分は、各脚部３３、３４の上端面との当接部分よりもルーフサイドレール１１との接合箇所に近く、より剛性が高い部分となっている。そのため、受圧面部３０への衝撃荷重の入力時に、ルーフパネル２０側において衝撃吸収部材１０が強固に支持されることになり、車室内衝突時の衝撃吸収部材１０の変形が、ひいてはその変形による衝撃荷重の吸収が促進されることになる。
【００２９】
ところで、前座席よりも車幅方向外側に位置する上記衝撃吸収部材１０の設置箇所には、図５に示すように、車両方向外側に顔を向けた状態で、乗員の頭部ＭＨが衝突することがある。なお、同図には、乗員の頭部ＭＨにおける額の部分が、アッパルーフＵＲの外縁ＲＭにあたる位置に衝突したときの状態が示されている。
【００３０】
こうした場合には、まず、頭部ＭＨにおける額の部分がルーフライニング２１に衝突することになる。以下、このときの額の部分での頭部ＭＨの衝突を一次衝突と記載する。ちなみに、こうしたルーフ部ＲＦへの頭部ＭＨの一次衝突は、車体Ｂの衝突から時間を置いて発生するため、一次衝突の発生時には、カーテンエアバッグ２２は、既に展開済みとなっている。
【００３１】
こうした頭部ＭＨの一次衝突による衝撃荷重は、頭部ＭＨが衝突したルーフライニング２１から、これに当接する受圧面部３０を介して衝撃吸収部材１０に伝わり、さらにその衝撃吸収部材１０を介してルーフパネル２０に伝わる。そして、衝撃荷重が伝わったルーフパネル２０が、同図に一点鎖線で示すように弾性変形するようになる。
【００３２】
その後も、頭部ＭＨが姿勢を維持したまま衝突方向に進めば、やがてルーフパネル２０の弾性変形は限界に達し、衝撃吸収部材１０がルーフパネル２０とルーフライニング２１との間で圧縮されるため、脚部３３、３４等が変形して、衝撃荷重を吸収するようになる。
【００３３】
ただし、人体の頚椎の椎間関節は、顔を縦に振る方向への可動性が高い構造となっている。そのため、一次衝突後に頭部ＭＨは、同図に二点鎖線で示すように、額の部分を中心として、顎を前に突き出す方向に回転するようになる。そして、その回転により、頭部ＭＨが、額よりも下側の部分において再びルーフライニング２１に衝突するようになる。以下、このときの頭部ＭＨの再衝突を二次衝突と記載する。こうした二次衝突は、多くの場合、頭部ＭＨにおける目から鼻先までの部分において発生すると考えられる。
【００３４】
ここで、同図に破線で示すように、二次衝突の発生位置まで受圧面部３０が延伸されているように衝撃吸収部材１０を構成した場合を考える。この場合、一次衝突の衝撃による衝撃吸収部材１０の変形が生じるよりも早く、二次衝突が発生すると、一次衝突の発生箇所と二次衝突の発生箇所とに衝撃荷重が分散して、衝撃吸収部材１０における一次衝突の発生箇所にあたる部分の変形が抑えられてしまう。このように、ルーフ部ＲＦにおける二次衝突が生じる位置に、ルーフライニング２１を当接支持している構造物が存在していると、一次衝突のみが発生する場合と、一次衝突に続いて二次衝突が発生する場合とでは、衝撃吸収部材１０が発揮する衝撃吸収効果に違いが生じてしまう。
【００３５】
ちなみに、ルーフ部ＲＦにおける、上記点ＲＭよりもある程度の距離以上、車幅方向外側の部分で一次衝突が発生した場合、ルーフライニング２１への二次衝突が発生する前に、顎の部分が車室側部に衝突する。また、上記点ＲＭよりもある程度の距離以上、車幅方向内側の部分では、前座席に着座した乗員の頭上に近く、垂直に近い角度で、頭頂部付近にて頭部ＭＨが衝突する。そのため、上記のような頭部ＭＨの回転による二次衝突は、アッパルーフＵＲの外縁ＲＭの近傍の限られた範囲において一次衝突が発生した場合以外は、殆ど生じない。
【００３６】
これに対して、本実施形態の車体ルーフ構造では、アッパルーフＵＲの外縁ＲＭの近傍の部分で一次衝突が発生したときの、二次衝突の発生箇所となる部分には、ルーフライニング２１を当接支持している構造物が存在しない空隙領域２３が設けられている。そのため、一次衝突後における頭部ＭＨのより大きな回転が許容されることになり、その分、衝撃吸収部材１０が一次衝突の衝撃を吸収するための時間的な余裕が生まれることになる。したがって、本実施形態の車体ルーフ構造では、上記のような二次衝突が生じる場合にも、車室内衝突時の乗員頭部の衝撃をより好適に吸収することができる。
【００３７】
なお、一次衝突後の頭部ＭＨの回転に応じて、衝撃吸収部材１０の受圧面部３０における頭部ＭＨからの衝撃荷重を受ける部分は、車幅方向外側に次第に移動するようになる。これに対して、衝撃吸収部材１０では、４つの脚部３３、３４のうち、車幅方向外側に設けられた脚部３３が、車幅方向外側の側周面が部分的に欠損した形状となっており、受圧面部３０における車幅方向外側の部分への荷重の入力に対して衝撃吸収部材１０の変形が生じ易くなっている。そのため、一次衝突後の回転を伴うかたちで頭部ＭＨが衝突した場合に、衝撃吸収部材１０の変形が促進されて、衝撃荷重をより効果的に吸収することができる。
【００３８】
このように本実施形態では、ルーフ部ＲＦにおける衝撃吸収部材１０の車幅方向外側に適度な幅の空隙領域２３を設けることで、車室内衝突に対する乗員頭部の保護性能を高めている。なお、上述したように、空隙領域２３は、ケーブルやワイヤハーネスの配線スペースとしても利用することが可能である。
【００３９】
（第２実施形態）
次に、車体ルーフ構造の第２実施形態を、図６を併せ参照して詳細に説明する。なお本実施形態にあって、上記実施形態と共通する構成については、同一の符号を付してその詳細な説明は省略する。
【００４０】
第１実施形態では、脚部３３、３４が設けられた樹脂製の板材により衝撃吸収部材を構成していたが、衝撃を吸収可能な部材であれば、それ以外の部材を衝撃吸収部材として採用することができる。本実施形態の車体ルーフ構造は、発泡樹脂の成型品を衝撃吸収部材として採用したものとなっている。
【００４１】
図６に示すように、本実施形態の車体ルーフ構造は、衝撃吸収部材の構成以外は、第１実施形態のものと同様の構成となっている。本実施形態の車体ルーフ構造に採用された衝撃吸収部材４０は、上述したように発泡樹脂の成型品であり、下記の形状をなしている。
【００４２】
すなわち、衝撃吸収部材４０は、対向する２面がそれぞれ、ルーフパネル２０に当接するパネル当接面４１、ルーフライニング２１に当接するライニング当接面４２となった略ブロック形状とされている。なお、衝撃吸収部材４０における、ルーフ部ＲＦに組み付けられた際に車幅方向外側となる側の端部には、ライニング当接面４２側からパネル当接面４１側に凹んだ段部４３が設けられている。
【００４３】
本実施形態の車体ルーフ構造では、こうした発泡樹脂の成型品からなる衝撃吸収部材４０が、パネル当接面４１にてルーフパネル２０に当接した状態で、ルーフパネル２０とルーフライニング２１との間の部分に設置されている。ルーフ部ＲＦにおけるアッパルーフＵＲの外縁ＲＭにあたる位置では、ライニング当接面４２にてルーフライニング２１に当接した状態で衝撃吸収部材４０が設置されている。一方、ルーフ部ＲＦに組み付けられた状態の衝撃吸収部材４０において、アッパルーフＵＲの外縁ＲＭにあたる位置からライニング当接面４２における車幅方向外側の端までの距離は、ダミーヘッドＤＨにおける額に相当する位置から目に相当する位置までの距離Ｌ１よりも短くなっている。また、第１実施形態の車体ルーフ構造と同様に、アッパルーフの外縁ＲＭにあたる位置からカーテンエアバッグ２２までの車幅方向の距離は、ダミーヘッドＤＨにおける額に相当する位置から鼻先に相当する位置までの距離Ｌ２よりも長くなっている。そのため、本実施形態の車体ルーフ構造でも、ルーフ部ＲＦにおける衝撃吸収部材４０の設置箇所にあって、アッパルーフＵＲの外縁ＲＭからのルーフ部ＲＦの外縁側に向かっての距離がＬ１となる位置から同距離がＬ２となる位置までの部分には、ルーフライニング２１を当接支持している構造物が存在しない領域である空隙領域４４が設けられている。
【００４４】
こうした本実施形態の車体ルーフ構造でも、アッパルーフＵＲの外縁ＲＭの近傍の位置にて乗員頭部の一次衝突が発生したときの、二次衝突の発生位置となる部分には、ルーフライニング２１を当接支持している構造物が存在しない空隙領域４４となっている。そのため、ルーフライニング２１に対する頭部ＭＨの二次衝突が生じる場合にも、車室内衝突時の乗員頭部の衝撃をより好適に吸収することができる。
【００４５】
また、衝撃吸収部材４０では、ルーフパネル２０におけるルーフサイドレール１１との接合箇所の近くまでパネル当接面４１が延伸されている。そのため、ルーフパネル２０にあって、ルーフサイドレール１１近傍の剛性の高い部分において衝撃荷重を受けることができ、車室内衝突時の衝撃吸収部材１０の変形を、ひいてはその変形による衝撃荷重の吸収を促進できるようになる。
【００４６】
なお、上記のような段部４３を有した衝撃吸収部材４０では、ライニング当接面４２における車幅方向外側の部分に一定以上の衝撃荷重が入力された場合、断面積が変化する段部４３の付け根部分に応力が集中して、同付け根部分にて衝撃吸収部材４０が破断するようになる。そしてその破断によっても、衝撃荷重が吸収されるようになる。そのため、一次衝突後の回転を伴うかたちで頭部ＭＨが衝突した場合に、衝撃荷重をより効果的に吸収することができる。
【００４７】
なお、上記実施形態は以下のように変更して実施することもできる。
・上記実施形態では、ルーフ部ＲＦにおける車幅方向外側の部分に衝撃吸収部材を設けるようにしていたが、ルーフ部ＲＦにおける前座席の車体前方の部分に衝撃吸収部材を設けるなど、衝撃吸収部材をルーフ部ＲＦにおける上記実施形態とは異なる部分に設置するようにしてもよい。いずれにせよ、下記（ａ）（ｂ）を共に満たすように衝撃吸収部材が設置されていれば、一次衝突後の頭部の回転による二次衝突が発生する場合にも、乗員の頭部に加わる衝撃を好適に緩和できるようになる。（ａ）ルーフ部ＲＦにおける衝撃吸収部材の設置箇所にあって、アッパルーフＵＲの外縁ＲＭにあたる位置には、ルーフライニング２１に当接して衝撃吸収部材が設置されていること。（ｂ）ルーフ部ＲＦにおける衝撃吸収部材の設置箇所にあって、アッパルーフＵＲの外縁ＲＭからのルーフ部ＲＦの外縁側への距離がＬ１となる位置から同距離がＬ２となる位置までの部分（以下、二次衝突発生領域）には、ルーフライニング２１を当接支持している構造物が存在しない空隙領域が設けられていること。
【００４８】
・ルーフ部ＲＦにおいて、ルーフライニング２１に当接して衝撃吸収部材が設置されている部分の範囲は、アッパルーフＵＲの外縁ＲＭにあたる位置を含み、且つ二次衝突発生領域に空隙領域が設けられる限りにおいて、適宜に変更してもよい。また、ルーフ部ＲＦにおいて、空隙領域が設けられている部分の範囲についても、上記二次衝突発生領域を含み、アッパルーフＵＲの外縁ＲＭにあたる位置ではルーフライニング２１に当接して衝撃吸収部材が設置される限りにおいて、適宜に変更してもよい。
【符号の説明】
【００４９】
１０，４０…衝撃吸収部材、２０…ルーフパネル、２１…ルーフライニング、２３，４４…空隙領域、ＲＦ…ルーフ部、ＵＲ…アッパルーフ、ＤＨ…ダミーヘッド、ＭＨ…乗員の頭部、ＲＭ…アッパルーフの外縁。
【図１】
2018070067.tif 000003
【図２】
2018070067.tif 000004
【図３】
2018070067.tif 000005
【図４】
2018070067.tif 000006
【図５】
2018070067.tif 000007
【図６】
2018070067.tif 000008
【図７】
2018070067.tif 000009